(57)【特許請求の範囲】
【請求項１】
熱交換用缶体（１２）内に火炎（１９）を発生させ、空気吸込口（１４ａ）から吹き込む空気を缶体（１２）、煙管（２０）および煙室（２１）のまわりに流して得られる温風を本体（１１）の上部に設けた１個の吹出口（１５）から温室内へ吹き出す温風暖房機（１０）において、
吹出口（１５）の通風孔は円筒とその上のほぼ直角に屈曲した構造により本体（１１）から上方に出される温風を横整流板（２３）と縦整流板（２４）により整流して水平方向に温室内へ吹き出し、
吹出口（１５）の下方端部に形成されたフランジ（１５ａ）は吹出口ベース（２５）に上部ガイド輪（２７）と下部ガイド輪（２８）に挟まれて保持され、
運転開始において本体側の駆動モータ（２２ａ）に通電されるとモータ軸（２２ｂ）に取り付けられた駆動ゴム輪（３３）はフランジ（１５ａ）と摩擦係合してフランジ（１５ａ）と一体的に構成された吹出口（１５）を回動させ、
フランジ（１５ａ）の側面には２個の角度設定子（３０）が所定の間隔をおいて配置され、タイマー制御により駆動モータ（２２ａ）が駆動しフランジ（１５ａ）が該所定の間隔を回動すると角度設定子（３０）はリミットスイッチ（３１）を押して吹出口（１５）は停止し、
設定時間が経過すると駆動モータ（２２ａ）は通電され反転運動をなし吹出口（１５）は反対方向に運転することを特徴とする吹出口首振り・旋回運転可能な温風暖房機。
【請求項２】
角度設定子（３０）は取り付けず、暖房機本体（１１）の運転信号を受け駆動モータ（２２ａ）が回転を始めると吹出口（１５）は旋回運転を続けることを特徴とする請求項１記載の吹出口首振り・旋回運転可能な温風暖房機。
【請求項３】
熱交換用缶体（１２）内に火炎（１９）を発生させ、空気吸込口（１４ａ）から吹き込む空気を缶体（１２）、煙管（２０）および煙室（２１）のまわりに流して得られる温風を本体（１１）の上部に設けた１個の吹出口（１５）から温室内へ吹き出す温風暖房機の運転において、
吹出口動作切替えスイッチ（ＳＷ２）を首振り側に設定し、
吹出口運転スイッチ（ＳＷ１）を運転に設定し、
暖房機本体（１１）の送風機（１４）の運転信号を受けると駆動モータ（Ｍ，２２ａ）は接点切替えタイマー（ＴＭ）制御により駆動し、角度設定子（３０）がリミットスイッチ（３１）を押すと該駆動モータへの通電回路の接点が外れ該駆動モータを停止させ、
設定時間になるとタイマー接点が切り替わり、該駆動モータは反転運動を始めることを特徴とする吹出口首振り・旋回運転可能な温風暖房機の運転方法。
【発明の詳細な説明】
【０００１】
【発明の属する技術分野】
本発明は、施設園芸用温室（以下、単に温室という。）の暖房のために用いる温風暖房機が発生する温風を温室内へ均一に吹き出す吹出口首振り・旋回運転可能な温風暖房機とその温風吹出し方法に関する。
【０００２】
【従来の技術】
本出願人は温室暖房用の温風暖房機（以下、単に暖房機という。）を開発しそれを製造・販売している。その一例は特許第２９１３３８４号の特許公報に開示されている。当該暖房機４０は図９の断面正面図を参照すると、バーナ部４１で熱交換用の缶体４２内に火炎４３を発生させ、高温の燃焼ガスを煙管４４、煙室４５、煙突４６を経て白抜き矢印ａで示すように外部すなわち温室の外に放出し、他方、空気吸込口の送風機４７が吸い込む空気（矢印ｂで示す。）を缶体４２のまわりを流れるようにして加温し、矢印ｃで示す温風として温風吹出口４８、ダクト４９を経て矢印ｄで示す方向すなわち温室内に吹き出して温室内を加温する。この暖房機を用いると温風は暖房機の下部から吹き出される。
【０００３】
本出願人はさらに図１０の断面正面図に示す上吹き（上部吹出）暖房機を開発しそれを製造・販売している。なお、図１０において図９に示した部分と同じ部分は同一符号を付して示し、５０は制御器である。図１０の暖房機において空気吸込口４４ａとその送風機４４は本体４１の下方部分に配置され、６個の空気吹出口４５は本体４１の上方に形成されている。図示の３個の空気吹出口４５の背後に同じ形状の３個の空気吹出口部が形成されていて、この暖房機は６箇所吹出し暖房機と呼称される。
【０００４】
図１０に示す暖房機４０の使用において温室内の温度の不均一（温度ムラ）を解消するために配風用の例えばビニール製のダクト４６を吊り下げ張りめぐらす。配置は図１１（ａ）の平面図と（ｂ）の正面図に示され、同図中、図９、図１０に示した部分と同じ部分は同一符号を付して示し、４６ａはダクト４６に穿孔した配風用孔、４６ｂはダクト吊り紐、５１は温室、５２は栽培用ベンチ、５３は作物を示す。
【０００５】
図１０に示す暖房機においては、バーナ４３内で燃料と空気を混合して噴射し着火して熱交換用の缶体（燃焼室）４２内に火炎４９を作りそのとき発生する燃焼ガスは、煙管５０を通り煙室５１を経由して煙突４８を通り暖房機が設置された温室の外へ排出され、一方、送風機４４の回転により空気吸込口４４ａから取り込まれる温室内の矢印ｂで示す空気は、煙管５０および燃焼室４２のまわりを流されて加温され、矢印ｃで示す温風となって温風吹出口４５からそれに連結された図示しない配風ダクトによって白抜矢印ｄで示すように温室内へ供給され温室を暖房する。また、この暖房機はバーナ４３を運転させないで送風機のみ運転させ吹出口４５から配風ダクト４６によって温室内へ温室内空気を送風することもできる。
【０００６】
【発明が解決しようとする課題】
温風を温室内にムラなく送るためには、温風吹出口を複数個設け個々の吹出口を各々暖房したい方向に向けしかもビニールダクトを温室内に張りめぐらさねばならない。そのための作業に手間がかかり、ダクトの耐用年数も２〜３年と短いので、労力的にもコスト的にもかなりの負担を強いられる。また、図１１（ｂ）に示すように配風ダクトを温室上部から吊るして張っている場合、ダクトは栽培作業の妨げになり日照障害の原因になる。そこで最近は配風ダクトを張らないで暖房する事例が増えているが、複数の小さな吹出口部を風向が固定された状態で使用するため、温風の到達距離が短くその結果として温室内に温度ムラが発生する。しかも複数の小さな吹出口を風向が分散された状態で使用しているので、温室内に大きな温風の流れはなく作物の結露予防の効果もほとんど期待できない。
【０００７】
従来の使用例における問題点を要約すると下記のとおりである。
温度ムラを解消するために配風用ビニールダクトを張った場合
イ．十分な効果を得るためには温室に適したダクトの張り方を検討しなければならず、しかもダクトの途中に温風吹出用の孔を適度に空けなければならない。ビニールダクトは耐用年数が短く２〜３年で張り替えが必要となるので手間と費用がかかる。
例えば、約１０００ｍ２の温室にビニールダクトを張る場合、２人で４〜５時間の作業が必要である。ビニールダクトの種類によって差はあるが価格は３００〜６００円／ｍである。
ロ．ビニールダクトが張ってあると普段の栽培作業の邪魔になりまた見栄えも悪い。
ハ．ビニールダクトをハウス上部から吊っている例では場所によっては作物に対して日照障害となるおそれがある。
ニ．住宅地近くに温室がある場合は夜間暖房時に温風によってビニールダクトが膨らむときに大きな音が発生し騒音公害となるおそれがある。
費用・手間・作業性を考えて配風用ビニールダクトを使用しない場合
イ．ハウス内に温度ムラが生じやすい。
ロ．作物の成長速度にバラツキがでて均一な品質で出荷できなくなるおそれがある。
ハ．ハウス内で場所によっては空気が淀んで多湿による病害が発生しやすくなる。
【０００８】
【課題を解決するための手段】
上記課題は、熱交換用缶体内に火炎を発生させ、空気吸込口から吹き込む空気を缶体、煙管および煙室のまわりに流して得られる温風を本体の上部に設けた１個の吹出口から温室内へ吹き出す温風暖房機において、吹出口の通風孔は円筒とその上のほぼ直角に屈曲した構造により本体から上方に出される温風を横整流板と縦整流板により整理して水平方向に温室内へ吹き出し、吹出口の下方端部に形成されたフランジは吹出口ベースに上部ガイド輪と下部ガイド輪に挟まれて保持され、運転開始において本体側の駆動モータに通電されるとモータ軸に取り付けられた駆動ゴム輪はフランジと摩擦係合してフランジと一体的に構成された吹出口を回動させ、フランジの側面には２個の角度設定子が所定の間隔をおいて配置され、タイマー制御により駆動モータが駆動しフランジが該所定の間隔を回動すると角度設定子はリミットスイッチを押して吹出口は停止し、設定時間が経過すると駆動モータは通電され反転運動をなし吹出口は反対方向に運転することを特徴とする吹出口首振り・旋回運転可能な温風暖房機を提供することにより解決される。
【０００９】
上記課題はまた、熱交換用缶体内に火炎を発生させ、空気吸込口から吹き込む空気を缶体、煙管および煙室のまわりに流して得られる温風を本体の上部に設けた１個の吹出口から温室内へ吹き出す温風暖房機の運転において、吹出口動作切替えスイッチを首振り側に設定し、吹出口運転スイッチを運転に設定し、暖房機本体の送風機の運転信号を受けると駆動モータは接点切替えタイマー制御により駆動し、角度設定子がリミットスイッチを押すと該駆動モータへの通電回路の接点が外れ該駆動モータを停止させ、設定時間になるとタイマー接点が切り替わり、該駆動モータは反転運動を始めることを特徴とする吹出口首振り・旋回運転可能な温風暖房機の運転方法を提供することにより解決される。
【００１０】
【作用】
温風暖房機を用い加温時の温度ムラを軽減するための本発明方法においては、モータ駆動による吹出口の任意角度の首振りまたは旋回をさせ、温室内空気を攪拌しながら平均的に加温し、吹出口を空気抵抗の小さい構成とすることにより、風量を減少させることなく吹き出した温風を整流し到達範囲を広げる。
【００１１】
【実施例】
以下、図面を参照して本発明実施例を説明する。図１は本発明実施例の断面正面図で、図中、１０は吹出口首振り・旋回式温風暖房機（以下、温風暖房機）、１１は体積がｍｍでほぼ１２５０×７００×２０００の本体、１２は熱交換用の缶体、１３はバーナ部、１４は送風機、１４ａは空気吸込口、１５は吹出口、１５ａは吹出口のフランジ、１６は缶体覗き口、１７は煙突接続口、１８は制御部、１９は火炎、２０は煙管、２１は煙室、２２は駆動モータ部、２２ａは可逆式駆動モータ（リバーシブルモータ）、２３は横整流板である。なお、矢印ａおよび白抜矢印ａは燃焼ガスの流れ、矢印ｂは吹き込んだ空気の流れ、矢印ｃは温風の流れ、白抜矢印ｄは温室内への温風の流れの方向をそれぞれ示す。上述した首振り運転とは、扇風機に見られるように一定の角度範囲内を左右方向に往復動することを、また旋回運転とは３６０°右回りまたは左回りを続けることをいう。
【００１２】
図９の例では温風の吹出口が暖房機の下方に２個、図１０の例では暖房機の上方に６個設けられているのとは異なり、温風暖房機１０は吹出口１５が本体１０の上方に１個配置され、この吹出口１５は円筒を屈曲して形成した形状の通風孔を有し、本体から上昇してくる温風が水平方向に吹き出されるようにほぼ９０°屈曲した構造のものである。吹出口１５を拡大して示す図２の断面正面図を参照すると、左下り斜線を付して示す吹出口１５の下方端部分はフランジ１５ａとなって外方に張り出し、フランジ１５ａは本体１１の吹出口ベース２５に首振り・旋回運転可能に取り付けられている。図２において図１に示した部分と同じ部分は同一符号で示し、２４は縦整流板であり、それは横整流板２３と共同して吹き出てくる温風の流れを整える。図２において、２５は吹出口ベース、２６は側面ガイド輪、２７は上部ガイド輪、２８は下部ガイド輪、２９はガイド輪支持具、３０は角度設定子、３１はリミットスイッチ、３２は押さえばね、３３は駆動ゴム輪である。
【００１３】
首振り・旋回の機構と制御
首振りの場合
首振り運転のためには、タイマー制御と角度設定子を使うリミットスイッチ制御を利用する。
イ．図１に示す制御部１８から送風機１４の運転信号を受けると、駆動モータ２２ａは、接点切り替えタイマーの設定値により正転／逆転運動を行う。
ロ．モータ軸２２ｂに駆動ゴム輪３３を取り付け、吹出口１５のフランジ１５ａを駆動ゴム輪３３、上部ガイド輪２７、下部ガイド輪２８、押さえバネ３２を利用して挟みつけ駆動ゴム輪３３の摩擦力で吹出口１５を回転させる。
ハ．タイマー設定時間に従い右回り・左回りの首振りを行う。
【００１４】
さらに、首振りの範囲が徐々にずれてくることに対処するため、正確に首振り角度が保たれるように角度設定子３０とリミットスイッチ３１を使用する。
上記を実現する目的で、
（ｉ）  角度設定子３０を首振りさせたい角度になるように吹出口の側面に２個取り付ける。
（ｉｉ）  タイマー制御により駆動モータ２２ａが駆動し角度設定子３０がリミットスイッチ３１を押すと駆動モータ２２ａへの通電回路の接点が外れ駆動モータ２２ａは停止する。
（ｉｉｉ）  設定時間になるとタイマー接点が切り替わり、駆動モータ２２ａが反転運動を始める。
上記を繰り返すことにより首振り運動が実行される。
【００１５】
上記（ｉ）、（ｉｉ）、（ｉｉｉ）を図３（ａ）と（ｂ）の平面図を参照して説明する。図３は図２の矢印ＩＩＩ方向に見た吹出口１５の図で、同図において図１と図２に示した部分と同じ部分は同一符号で示す。（ｉ）に関連して、図３（ａ）は吹出口１５が首振り角度（θ）回動して止まったときの（ｉｉ）の状態を示し、白抜矢印ｅは吹出口１５が回転した方向を、白抜矢印ｆは送風方向を示す。図３（ｂ）は、タイマー接点が切り替わり吹出口部が白抜矢印ｇで示す反対運動を行った後の状態を示し、そのときの送風方向は白抜矢印ｈで示す。
上記の動きにおいて吹出口１５の首振り角度間移動時間をＴ秒とすると、タイマー設定時間をＴ＋αと設定することにより必ず角度設定子３０がリミットスイッチ３１を押す位置まで回転するので、安定した首振り角度での運転が保証される。また、この時間αを変更することにより変形した温室および暖房機の設置位置に対応することが可能になる。例えば、長方形温室の隅部に暖房機を設置した場合、吹出口が首振り角度間を移動する時間をＴ秒とし、吹出口が長辺方向に回転する方のタイマー設定をＴＲ＝Ｔ＋α１、吹出口部が短辺方向に回転する方のタイマー設定をＴＬ＝Ｔ＋α２とすると、α１を長く、α２を短くすることにより長辺方向での吹出口静止時間を長くして暖房に必要な温風をより多く送り込み、逆に短辺方向では静止時間を短くし温室内をムラなく加温することが可能になる。
【００１６】
ここで、首振り・旋回制御に用いる図４の電気回路図を参照して首振り運転方法を説明する。なお、図４において、Ｉは吹出口モータ（Ｍ）部、ＩＩは温風暖房機制御部で、２００Ｖ、３相、５０／６０Ｈｚのもので磁気スイッチを具備するもの、ＳＷ１は吹出口運転スイッチ、ＳＷ２は吹出口動作切替えスイッチ、ＳＷ３は吹出口静止スイッチ、ＴＭは接点切替えタイマー、Ｔ１は吹出口静止時間設定タイマー、ＸＲはリレー（右回転）、ＸＬはリレー（左回転）、ＬＲはリミットスイッチ（右）、ＬＬはリミットスイッチ（左）、ＬＯＲはオーバーリミットスイッチ、ＬＯＬはオーバーミットスイッチ（左）、Ｘ１は吹出口静止用リレー、Ｍは駆動モータ（リバーシブルモータ）、Ｃはコンデンサ、ｆはヒューズ（１Ａ）を示す。
【００１７】
運転開始と決まると、吹出口運転選択の段階で首振りに決定し、首振り角度設定および静止位置設定を経て首振りタイマー設定に移行し、右回転時間ＴＲ＝Ｔ＋αＲ＋γ、左回転時間ＴＬ＝Ｔ＋αＬ＋γを設定する。ただし、Ｔは首振り角度間移転時間、αは温室の大小により定められる数、γは吹出口の停止時間である。次いで、吹出口動作スイッチの首振りを選択し、吹出口運転スイッチＯＮで本体１１の運転信号を待つ。該信号がＯＮになると、吹出口右回転開始、吹出口静止スイッチＯＮ、吹出口静止、γ時間後吹出口右回転再開、そしてＴ＋γ時間後は吹出口右回転リミット動作により吹出口静止、次いで右回転時間後に吹出口左回転開始となり、吹出口静止スイッチ動作、吹出口静止、γ時間吹出口左回転開始となり、Ｔ＋γ時間後吹出し口左回転リミット動作、吹出口静止となり、左回転時間Ｔ＋αＬ＋γ時間後に本体の運転信号ＯＮの次に戻る。以上の操作は次のとおりになる。
▲１▼  吹出口動作切替えスイッチ２を首振り側にする。
▲２▼  吹出口運転スイッチ１を運転にする。
▲３▼  暖房機本体１１の送風機１４の運転信号を受けると駆動モータ（リバーシブルモータ）（Ｍ）２２ａは接点切替えタイマー（ＴＭ）制御により駆動し、角度設定子３０がリミットスイッチ３１を押すとリバーシブルモータ２２ａの通電回路の接点（ＬＲまたはＬＬ）が外れリバーシブルモータ２２ａを停止させる。
▲４▼  設定時間になるとタイマー接点が切り替わり、リバーシブルモータが反転運動を始める。
また、角度設定子およびリミットスイッチが動作不良になった場合の安全対策として角度設定子とリミットスイッチをもう１セット追加し二重の角度制御を行う（オーバーラン防止）。
例えば、角度設定子がリミットスイッチを押したが、接点が外れなかった場合は、
１．通常の首振り角度設定子より外側に取り付けたオーバー角度設定子がオーバーリミットスイッチを押すとリバーシブルモータへの通電回路接点（ＬＯＲまたはＬＯＬ）が外れリバーシブルモータを停止させる。
２．設定時間になるとタイマー接点が切り替わり、モータが反転運動を始める。
【００１８】
吹出口旋回運転は、運転開始、吹出口運転選択で旋回と決まると、静止位置設定を経て吹出口動作スイッチ「旋回」選択、吹出口運転スイッチＯＮを経て、暖房機本体の運転信号を待ち、この信号ＯＮで吹出口右回転開始、吹出口静止リミット動作により吹出口静止、γ時間後本体の運転信号ＯＮの次に戻る。以上の動作は次のとおり要約される。
【００１９】
旋回の制御について図４を参照すると、旋回のためには、
イ．吹出口動作切替えスイッチ（ＳＷ２）を旋回側にする。
ロ．角度設定子３０は取り付けない。
ハ．吹出口運転スイッチ（ＳＷ１）を運転にする。
ニ．暖房機本体１１の送風機運転信号を受けるとリバーシブルモータ（Ｍ）が回転を始め吹出口１５が旋回する。
ホ．接点切替えタイマーに通電されないので接点が切り替わらずリバーシブルモータ（Ｍ）は同一方向に回転を続ける。
任意の方向における任意時間静止制御方法
この方法は、タイマー制御＋角度設定子を使ったリミットスイッチ制御の応用方法である。
イ．タイマーと角度設定子３０およびリミットスイッチ３１を各々１個追加する。（吹出口静止時間設定タイマー２、静止設定子、静止スイッチとする。）
ロ．首振り角度中に一旦吹出口１５が止めたい位置にきたときに静止設定子が静止スイッチＳＷ３を押すようにセットする。
ハ．首振り回転の途中で静止設定子３０が静止スイッチＳＷ３を押すと吹出口静止時間設定タイマーＴ１の設定時間だけ吹出口静止用リレーＸ１のｂ接点が外れリバーシブルモータ（Ｍ）への通電が止まる。再び同方向へ回転を始める。
ニ．吹出口静止時間設定時間になると再び同方向にリバーシブルモータ（Ｍ）が駆動する。
【００２０】
なお、途中静止させたい時間をγとすると、接点の切替えタイマーの設定時間は、Ｔ＋α＋γとなる。
この制御方法は、長方形温室の短辺側の棲面中心近くに暖房機が設置された場合に有効である。
例えば、吹出口１５が首振り角度を移動する時間をＴ秒とし、
吹出口１５が両端で静止する時間をα秒とし、
途中で静止する位置を首振り角の中心とし、時間をγ秒とする場合、
γを長く、αを短くして温室の長手方向で吹出口静止時間を長くすることにより、長手方向に多くの温風を送り込み温室内をムラなく加温することができる。
以上をまとめたものを表１に示す。
【００２１】
【表１】
0003575002.tif 000002
【００２２】
本発明の暖房機の首振り・旋回式による温風吹出しの特徴と効果は次のとおりである。
温度ムラの解消
到達範囲が広く、風向・風速に変化をつけた送風方法で温室内を攪拌しながら加温する。
ダクト使用の解消により、
イ．ダクト費用が不要となり、
ロ．併せてダクトを張る手間を不要にし、
ハ．作業性が向上され、
ニ．見栄えがよく、
ホ．ダクトが日射を遮ることがなくなり、日照条件を改善する
効果が得られた。
多湿病害の抑制
温室内空気の攪拌により作物と温室内空気の温度差を小さくし、作物の結露を軽減し、多湿病害を抑制し、それにより省農薬化が実現された。
品質向上
イ．光合成促進
温室内空気の攪拌により、葉面境界層に働きかけ、作物の炭酸ガス吸収効率を助長し光合成を促進した。しかし、作物に常時風を当て続けると作物は水分が奪われて気孔を閉じ光合成が止まってしまう。よって首振り・旋回運動により作物に常時風が当たらないようにする。
ロ．作物の葉と果実の日焼け防止
温室内空気の攪拌により作物体温の上昇を防止し、作物（葉・果実）の日焼けが防止される。
ハ．花卉類の場合は茎が太くなる。温室内空気の攪拌により作物がほどよく揺れることにより茎が太くなる。
【００２３】
上記の効果は、ゴム輪の摩擦力をトルクリミッターとしたモータ保護機構と、変形温室に対応した制御方式を採用することにより、
イ．吹出口角度両端の静止時間制御、すなわち、タイマーとリミットスイッチ併用による制御、
ロ．首振り、旋回駆動速度の制御、
ハ．任意の方向で任意時間静止による送風量と到達距離の制御
が可能になった。
【００２４】
従来のビニールダクトを使用せず図１０の温風暖房機と図１の温風暖房機とを使用する場合の温室内の温度分布と変化とを測定し比較した。
測定日は、従来方法の場合は１９９９年１２月１６日、首振り吹出口部使用の場合は同年１２月１７日で、場所は、神奈川県高座郡寒川町の個人温室であった。
温度測定に使用した暖房機１０は熱出力８７．２ｋＷ（７５０００ｋｃａｌ／ｈ）のものである。
図５（ａ）は測定を実施した温室３５の平面図、同図（ｂ）は温室３５の正面図である。温室３５は図に見て左右方向の長さ２７ｍ、上下方向の長さ２５ｍである。図中、３５ａは保温カーテン、３６は栽培用ベンチ、３７は作物である。温室内は栽培用ベンチ３６ケが１つの小区画に区分され、暖房機１０に最も近い区画では温度測定はなさず、その他の区画のそれぞれに温室内温度測定点１，２，・・・７，８を、さらに温室の外部に外気温測定点９を設定した。
温室内温度測定点１，２，・・・７，８の位置は次のとおり設定した。
0003575002.tif 000003
温室内温度測定点１，２，・・・７，８はすべて地表面から２ｍの高さのところに、外気温測定点９は温室３５の図に見て下方の周辺から１ｍのところで２ｍの高さに設定した。
【００２５】
ビニールダクトは用いず図９の暖房機を用いた場合の１９９９年１２月１５日になされた前記した温室内の温度測定の結果は図６の線図に示され、同図において、縦軸に温室内温度を〔℃〕で、横軸に時の経過をとり、また線Ａは温室内温度、Ｂは暖房時温室内温度輻（約３℃）、Ｃは夜間温室内温度幅（約１０℃）、Ｄは図４のハウス内温度測定点１，２，・・・７，８で測定した８つの温度を示し、Ｅは温室内設定温度、Ｆは温室内最低温度、Ｇは外気温度、破線ＨはバーナＯＮ−ＯＦＦ、折れ線Ｉは送風機ＯＮ−ＯＦＦを示す。
【００２６】
図７は、本発明にかかる首振り吹出口部を用いた場合の１９９９年１２月１７日の温室内温度測定の結果を示す図６の線図に類似の線図であるが、Ｂの暖房時温室内温度幅は約２℃、Ｃの夜間温室内温度幅は約７．５℃である点が異なる。図５に示される結果に較べ外気温の上下の差は大であった。それにもかかわらず、温室内温度は良好に保たれた。
【００２７】
図８は比較対照のため図６と図７を縮小して併置した図である。図６と図７との対比から本発明実施例は下記の効果を奏したことが看取される。
イ．夜間の温室内温度変動幅が軽減されている。約１０℃のものが約７．５℃となり、約２．５℃改善された。
ロ．暖房時に各計測点での温度ムラが軽減されている。約３℃のものが約２℃となり、約１．０℃改善された
ハ．温風を攪拌して加温しているので温室内温度が設定温度に到達する時間が速くなり、結果として設定温度からの行き過ぎ（オーバーシュート）が少なくなっている。すなわち、設定温度に則した変動幅の小さい温度分布になっている。
【００２８】
【発明の効果】
以上説明してきたように本発明によると、
イ．温室内の温度ムラを解消し、
ロ．ダクトの使用を中止し、そのことによりダクト費用を不要にし、ダクト配置の労力を不要にし、温室管理の作業性を向上し、温室内の見栄えを良くし、日照条件を改善し、
ハ．温室内多湿による病害を抑制し、
ニ．温室内での光合成を促進するとともに作物の日焼けを防止し、花卉類の茎が太くなることを助ける
等の効果が得られた。
【図面の簡単な説明】
【図１】本発明にかかる温風暖房機の断面正面図である。
【図２】図１の温風暖房機の吹出口の拡大した断面正面図である。
【図３】同図の（ａ）と（ｂ）はそれぞれ図２の吹出口の首振り動きを示す平面図である。
【図４】首振り・旋回制御に用いる電気回路図である。
【図５】同図の（ａ）と（ｂ）は図１の温風暖房機を用いる場合の温度測定のための温室の配置を示す平面図と正面図である。
【図６】図１０の温風暖房機の従来の６ケ所吹出し法を実施した場合の温室内の温度測定の結果を示す線図である。
【図７】図１の温風暖房機の首振り吹出し実施の場合の温室内の温度測定の結果を示す線図である。
【図８】図６と図７の線図を比較対比のため縮小し併置して示す線図である。
【図９】本出願人が開発した温風暖房機の断面正面図である。
【図１０】本出願人が開発した温風を暖房機の上方部分から吹き出す他の温風暖房機の断面正面図である。
【図１１】同図の（ａ）と（ｂ）は図１０に示す温風暖房機にビニールダクトを張って使用する温室の状態をそれぞれ示す平面図と正面図である。
【符号の説明】
１，２，・・・７，８  温室内の室温測定点
９  外気温測定点
１０  温風暖房機
１１  本体
１２  熱交換用缶体
１３  バーナ部
１４  送風機
１４ａ  空気吸込口
１５  吹出口
１６  缶体覗き口
１７  煙突接続口
１８  制御部
１９  火炎
２０  煙管
２１  煙室
２２  駆動モータ部
２２ａ  駆動モータ
２３  横整流板
２４  縦整流板
２５  吹出口ベース
２６  側面ガイド輪
２７  上部ガイド輪
２８  下部ガイド輪
２９  ガイド輪支持具
３０  角度設定子
３１  リミットスイッチ
３２  押さえばね
３３  駆動ゴム輪
３５  温室
３５ａ  保温カーテン
３６  栽培用ベンチ
３７  作物
【図１】
0003575002.tif 000004
【図２】
0003575002.tif 000005
【図３】
0003575002.tif 000006
【図４】
0003575002.tif 000007
【図５】
0003575002.tif 000008
【図６】
0003575002.tif 000009
【図７】
0003575002.tif 000010
【図８】
0003575002.tif 000011
【図９】
0003575002.tif 000012
【図１０】
0003575002.tif 000013
【図１１】
0003575002.tif 000014